(57)【要約】【課題】紙葉が厚い場合や積層枚数が多い場合でも綴り穴のずれがなく、狭いピッチや自由な穴間隔でも穿孔することができる複数紙葉連続穿孔装置を提供すること。【解決手段】上下に対向配置されたパンチ１とダイ２とを含む穿孔工具３を穿孔作業位置４に向けて順次搬送する穿孔工具搬送手段５と、前記穿孔作業位置４に順次搬送されてくる穿孔工具３に向けて枚葉紙６を順次搬送する枚葉紙搬送手段７と、前記穿孔作業位置４に順次搬送されてくる前記穿孔工具３に順次穿孔動作を付与する穿孔動作付与手段８とを備え、前記穿孔工具搬送手段５と枚葉紙搬送手段７とを穿孔作業位置４に向けて同一速度で同一方向に直線移動させ、この移動中に前記穿孔作業位置４で前記穿孔動作付与手段８によって前記穿孔工具３に穿孔動作を付与させて枚葉紙６に綴り穴９を穿孔させるようになした。【選択図】図１
2008194790.tif 000002
【特許請求の範囲】
【請求項１】
上下に対向配置されたパンチ（１）とダイ（２）とを含む穿孔工具（３）を穿孔作業位置（４）に向けて順次搬送する穿孔工具搬送手段（５）と、
前記穿孔作業位置（４）に順次搬送されてくる穿孔工具（３）に向けて枚葉紙（６）を順次搬送する枚葉紙搬送手段（７）と、
前記穿孔作業位置（４）に順次搬送されてくる前記穿孔工具（３）に順次穿孔動作を付与する穿孔動作付与手段（８）とを備え、
前記穿孔工具搬送手段（５）と枚葉紙搬送手段（７）とを穿孔作業位置（４）に向けて同一速度で同一方向に直線移動させ、この移動中に前記穿孔作業位置（４）で前記穿孔動作付与手段（８）によって前記穿孔工具（３）に穿孔動作を付与させて枚葉紙（６）に綴り穴（９）を穿孔させるようになしたことを特徴とする複数紙葉連続穿孔装置。
【請求項２】
前記穿孔工具搬送手段（５）は、水平面内で連続的に循環移動する無端鎖条（１０）を備えており、前記穿孔工具（３）は、パンチ（１）を上側、ダイ（２）を下側にして前記パンチ（１）をダイ（２）に向けて接近離隔可能で弾性部材（１１）により離隔状態に保持する工具取付部材（１２）を有し、この工具取付部材（１２）を介して前記各穿孔工具（３）が前記無端鎖条（１０）に等間隔で取り付けられており、前記穿孔動作付与手段（８）は、穿孔作業位置（４）の上方の垂直面内で前記穿孔工具搬送手段（５）の無端鎖条（１０）と同調して回転する回転板（１３）と、この回転板（１３）の外周部に回転方向等間隔で取り付けられ前記穿孔作業位置（４）に到着した前記パンチ（１）をダイ（２）に向けて順次押し下げる押し下げローラ（１４）を備えていることを特徴とする請求項１に記載の複数紙葉連続穿孔装置。
【請求項３】
前記穿孔工具搬送手段（５）は、前記穿孔作業位置（４）の下面に配置され、前記穿孔工具（３）の底面を前記穿孔工具搬送手段（５）の搬送方向に転動可能に案内支持する転がり軸受（１５）を備えていることを特徴とする請求項１又は２に記載の複数紙葉連続穿孔装置。
【請求項４】
前記穿孔作業位置（４）の側方には、前記穿孔工具（３）を前記穿孔工具搬送手段（５）の搬送方向と同方向に同一速度で介添え搬送する介添え搬送手段（１６）が配置されており、この介添え搬送手段（１６）は、前記穿孔作業位置（４）の側方の垂直面内で前記穿孔工具搬送手段（５）と同調して連続的に循環移動する無端鎖条（１７）と、この無端鎖条（１７）に等間隔で取り付けられ前記穿孔作業位置（４）の手前から該穿孔作業位置（４）を通り過ぎるまでの間、前記穿孔工具（３）を介添え移動させる介添え搬送部材（１８）を備えていることを特徴とする請求項１〜３の何れかに記載の複数紙葉連続穿孔装置。
【請求項５】
前記枚葉紙搬送手段（７）は、前記穿孔作業位置（４）の側方の垂直面内で前記穿孔工具搬送手段（５）と同調して連続的に循環移動する無端鎖条（１９）と、この無端鎖条（１９）に等間隔で取り付けられ枚葉紙（６）を前工程から受け取って次工程へ受け渡すまでの間、該枚葉紙（６）を前記穿孔作業位置（４）に向けて該枚葉紙（６）の搬送方向前側を把持して搬送する把持部材（２０）を備えていることを特徴とする請求項１〜４の何れかに記載の複数紙葉連続穿孔装置。
【請求項６】
前記穿孔工具搬送手段（５）には、前記穿孔作業位置（４）の直後より前記穿孔工具（３）のパンチ（１）を離隔復帰させるための復帰用カム（２１）が付加されていることを特徴とする請求項１〜５の何れかに記載の複数紙葉連続穿孔装置。
【発明の詳細な説明】
【技術分野】
【０００１】
本発明は、カレンダーや枚葉式帳簿などの複数紙葉連続穿孔装置に関するものである。
【背景技術】
【０００２】
従来、カレンダーや枚葉式帳簿などの枚葉紙に綴り穴を明ける穿孔装置として、穿孔突起（パンチ）を周方向等間隔に放射状に設けた第１の回転輪と、前記各穿孔突起に対応して各穿孔突起を受け入れる受け孔（ダイ）を周方向等間隔に放射状に設けた第２の回転輪との間に枚葉紙を通過させて綴り穴を連続的に穿孔するようにした装置が公知である（特許文献１参照）。
また、同径、同ピッチで噛合回転する一対の歯車の側面に一対の穿孔部材（パンチ）と穿孔受座（ダイ）とを同一偏芯距離で設け、両者を１本のガイド棒で串刺し状に連結して同一位相を保持させて偏芯回転させることにより、歯車１回転につき１回だけ被穿孔物に穿孔するようにした装置も公知である（特許文献２参照）。
【特許文献１】特開平７−１５６５７４号公報
【特許文献２】特開平９−７０７９９号公報
【発明の開示】
【発明が解決しようとする課題】
【０００３】
特許文献１のものは、第１及び第２の回転輪に放射状に取り付けられた穿孔突起と受け孔とが第１及び第２の回転輪の軸心を中心とする円弧軌跡を描いて円運動するため、直線移動する紙葉への接近進入角度が刻々と変化し、穿孔後に穿孔孔から脱出離隔する角度も同様に刻々と変化するため、紙葉が薄い場合や積層枚数が少ない場合には問題がないが、紙葉が厚い場合や積層枚数が増加してくると、穿孔突起が穿孔孔からうまく抜けなかったり、穿孔される綴り穴の形状が揃わずにずれたものとなるという問題点があった。
特許文献２のものは、上記のような綴り穴のずれは解消できるが、枚葉紙に穿孔できる穴のピッチや間隔が歯車１回転で１回に限定され、歯車の１回転以下の狭いピッチや自由な穴間隔で枚葉紙に穿孔することができないという問題点があった。
【０００４】
本発明は、従来の上記問題点に鑑みて提案されたもので、紙葉が厚い場合や積層枚数が多い場合でも綴り穴のずれがなく、狭いピッチや自由な穴間隔でも穿孔することができる複数紙葉連続穿孔装置を提供することを目的としている。
【課題を解決するための手段】
【０００５】
前記目的を達成するために本発明は、上下に対向配置されたパンチとダイとを含む穿孔工具を穿孔作業位置に向けて順次搬送する穿孔工具搬送手段と、
前記穿孔作業位置に順次搬送されてくる穿孔工具に向けて枚葉紙を順次搬送する枚葉紙搬送手段と、
前記穿孔作業位置に順次搬送されてくる前記穿孔工具に順次穿孔動作を付与する穿孔動作付与手段とを備え、
前記穿孔工具搬送手段と枚葉紙搬送手段とを穿孔作業位置に向けて同一速度で同一方向に直線移動させ、この移動中に前記穿孔作業位置で前記穿孔動作付与手段によって前記穿孔工具に穿孔動作を付与させて枚葉紙に綴り穴を穿孔させるようになしたことを特徴としている。
【０００６】
上記構成によれば、穿孔工具と枚葉紙とを穿孔作業位置に向けて同一速度で同一方向に直線移動させているため、相対的なずれが発生せず、枚葉紙への穿孔作業を高能率で実施することができ、積層枚数が増加しても枚葉紙に明けられる綴り穴が所定形状に正確に穿孔形成され、ずれることがないと共に、穿孔工具搬送手段に対する穿孔工具の取付間隔を変更することにより、狭いピッチや自由な穴間隔でも穿孔することができる。
また、前記穿孔工具搬送手段は、水平面内で連続的に循環移動する無端鎖条を備えており、前記穿孔工具は、パンチを上側、ダイを下側にして前記パンチをダイに向けて接近離隔可能で弾性部材により離隔状態に保持する工具取付部材を有し、この工具取付部材を介して前記各穿孔工具が前記無端鎖条に等間隔で取り付けられており、前記穿孔動作付与手段は、穿孔作業位置の上方の垂直面内で前記穿孔工具搬送手段の無端鎖条と同調して連続的に回転する回転板と、この回転板の外周部に回転方向等間隔で取り付けられ前記穿孔作業位置に到着した前記パンチをダイに向けて順次押し下げる押し下げローラを備えていることを特徴としている。
【０００７】
上記構成によれば、穿孔工具を穿孔作業位置で直線移動させる部分を無端鎖条の直線移行部分によって容易に構成でき、また、この無端鎖条に前記穿孔工具を工具取付部材を介して共通的に取り付けることができ、さらに、この穿孔工具のパンチを穿孔作業位置でダイに向けて押し下げる押し下げローラの動作を穿孔工具の移動に容易に同調させることができ、また、穿孔工具搬送手段と穿孔動作付与手段とを穿孔作業位置に対して合理的に配置することができる。
また、前記穿孔工具搬送手段は、前記穿孔作業位置の下面に配置され、前記穿孔工具の底面を前記穿孔工具搬送手段の搬送方向に転動可能に案内支持する転がり軸受を備えていることを特徴としている。
【０００８】
上記構成によれば、穿孔作業位置において、前記穿孔動作付与手段によりパンチがダイに接近せしめられて枚葉紙への穿孔動作が行われている間、穿孔工具の底面を転がり軸受で穿孔工具搬送手段の搬送方向に転動可能に案内支持させていることによって、穿孔工具搬送手段による穿孔工具の搬送方向への移動を低摩擦で軽快円滑に行わせることができ、枚葉紙への穿孔作業をスムーズに行わせることができる。
また、前記穿孔作業位置の側方には、前記穿孔工具を前記穿孔工具搬送手段の搬送方向と同方向に同一速度で介添え搬送する介添え搬送手段が配置されており、この介添え搬送手段は、前記穿孔作業位置の側方の垂直面内で前記穿孔工具搬送手段と同調して連続的に循環移動する無端鎖条と、この無端鎖条に等間隔で取り付けられ前記穿孔作業位置の手前から該穿孔作業位置を通り過ぎるまでの間、前記穿孔工具を介添え移動させる介添え搬送部材を備えていることを特徴としている。
【０００９】
上記構成によれば、穿孔作業位置において、前記穿孔動作付与手段によりパンチがダイに接近せしめられて枚葉紙への穿孔動作が行われている間、穿孔工具を穿孔工具搬送手段の搬送方向に介添えして移動させていることによって、穿孔工具搬送手段による穿孔工具の搬送方向への移動を確実円滑に行わせることができ、枚葉紙への穿孔作業をスムーズに行わせることができる。
また、前記枚葉紙搬送手段は、前記穿孔作業位置の側方の垂直面内で前記穿孔工具搬送手段と同調して連続的に循環移動する無端鎖条と、この無端鎖条に等間隔で取り付けられ枚葉紙を前工程から受け取って次工程へ受け渡すまでの間、該枚葉紙を前記穿孔作業位置に向けて該枚葉紙の搬送方向前側を把持して搬送する把持部材を備えていることを特徴としている。
【００１０】
上記構成によれば、枚葉紙搬送手段と穿孔工具搬送手段を穿孔作業位置に対して、合理的に配置することができ、また、枚葉紙を穿孔作業位置に穿孔工具の移動と同調させて位置決め搬送させることが容易に実現でき、各把持部材で把持搬送される枚葉紙に対する穿孔位置を規格統一させることも容易となる。
また、前記穿孔工具搬送手段には、前記穿孔作業位置の直後より前記穿孔工具のパンチを離隔復帰させるための復帰用カムが付加されていることを特徴としている。
上記構成によれば、枚葉紙の積層枚数が多い場合やパンチの枚葉紙穿孔穴内からの抜け出し抵抗が増加した場合でも、復帰用カムによって確実に抜脱復帰させることができる。
【発明の効果】
【００１１】
本発明によれば、紙葉が厚い場合や積層枚数が多い場合でも綴り穴のずれがなく、狭いピッチや自由な穴間隔でも穿孔することができる複数紙葉連続穿孔装置を提供することができる。
【発明を実施するための最良の形態】
【００１２】
以下、本発明装置の実施形態を図面に基づいて説明すると次の通りである。
図１は本発明装置の概略縦断側面図、図２は図１の概略正面図、図３は図１の概略平面図、図４は図１の要部拡大縦断側面図、図５は枚葉紙把持部材の拡大側面図、図６は図５の平面図、図７は図５の正面図、図８は枚葉紙搬送手段の枚葉紙搬送形態を示す概略斜視図である。
本発明の装置は、図１〜図４に示すように、上下に対向配置されたパンチ１とダイ２とを含む穿孔工具３を穿孔作業位置４に向けて順次搬送する穿孔工具搬送手段５と、前記穿孔作業位置４に順次搬送されてくる穿孔工具３に向けて枚葉紙６を順次搬送する枚葉紙搬送手段７と、前記穿孔作業位置４に順次搬送されてくる前記穿孔工具３に順次穿孔動作を付与する穿孔動作付与手段８とを備え、前記穿孔工具搬送手段５と枚葉紙搬送手段７とを穿孔作業位置４に向けて同一速度で同一方向に直線移動させ、この移動中に前記穿孔作業位置４で前記穿孔動作付与手段８によって前記穿孔工具３に穿孔動作を付与させて枚葉紙６に綴り穴９（図８参照）を穿孔させるようになしたものである。
【００１３】
前記穿孔工具搬送手段５は、水平面内で連続的に循環移動する無端鎖条１０を備えており、この無端鎖条１０は、図３に示すように、駆動鎖車５ａと従動鎖車５ｂとの間に無端状に掛け渡されており、前記穿孔作業位置４が直線移動部の一方（前面側）に設定されている。
これら駆動鎖車５ａと従動鎖車５ｂは、駆動軸５ｃと従動軸５ｄに取り付けられている。駆動軸５ｃと従動軸５ｄは、機台フレーム２２に軸受を介して回転自在に立設支持されており、駆動軸５ｃは、電動モータなどの駆動源（図示省略）に連結されている。
【００１４】
前記穿孔工具３は、図４に最もよく示すように、パンチ１を上側、ダイ２を下側にして前記パンチ１をダイ２に向けて接近離隔可能で弾性部材１１により離隔状態に保持する工具取付部材１２を有し、この工具取付部材１２を介して前記穿孔工具３が前記無端鎖条１０に等間隔で複数個（図３では１６個）が取り付けられている（図３参照）。
工具取付部材１２は、図１、図４に示すように、機台フレーム２２に設けられた平面視で長円環状の案内トラック部材２２ａの上面（水平面）を摺動案内面として底面が摺動可能に載置されている。
【００１５】
上記ダイ２は、ボルト１２ａにより工具取付部材１２の上面に押さえ部材１２ｂで着脱交換可能に取り付けられている。ダイ２には、パンチ１に対応する受け穴２ａが形成されている。
押さえ部材１２ｂの上部には、パンチホルダ１２ｃがガイドロッド１２ｄを介して上下動可能に載置されており、パンチホルダ１２ｃは、弾性部材１１により上方へ押し上げられている。
ガイドロッド１２ｄは、下端を工具取付部材１２の上面に螺合固着して立設されており、押さえ部材１２ｂ及びパンチホルダ１２ｃを貫通して上端にストッパ１２ｅを備えている。
【００１６】
このガイドロッド１２ｄは、複数本（図示実施形態は２本の場合を例示している。）が所定間隔で平行に立設されている。
弾性部材１１は、押さえ部材１２ｂとパンチホルダ１２ｃとの間に介在設置されており、その設置箇所は、２箇所又は２箇所以上に分散して設置されている。
パンチ１は、図４に示すように、上端をパンチホルダ１２ｃに着脱交換可能に取り付けられており、下端が押さえ部材１２ｂを上下動可能に貫通して配置されている。この構成によって、押さえ部材１２ｂは、その下面を枚葉紙６の穿孔後のストリッパ部材として利用する構成とされている。
【００１７】
本実施形態の場合、パンチ１の下端面は、略半円部分が斜め下に傾斜した傾斜面とされ残り半円部分が段差を形成して平坦面とされている。パンチ１の下端面のこの構成は、枚葉紙６に形成する綴り穴９（図８参照）を円形に打ち抜くのではなく、斜め下に傾斜した傾斜面部分によって、枚葉紙６の綴り穴形成部分を略半円形状に打ち抜き、前記段差と平坦面部分とによって、残り半円部分を切り残すための構成である。このように切り残した部分は、枚葉紙６から斜め下に傾斜突出しており、この部分を、枚葉紙６を綴り止めする際、綴り止め具（挟持方式の吊り具）に抜け止め状態で係止保持させる係止部材として利用するためのものである。なお、綴り穴９を円形に打ち抜く場合では、ダイ２の受け穴２ａの下側に、抜きカスの排出路となる穴を工具取付部材１２に形成しておくものである。
【００１８】
上記パンチホルダ１２ｃの前面には、ミシン目状の切り目を枚葉紙６に入れるための切り目入れ用カッター刃２３が固着具２４を介して高さ調整可能に固着され、これに対応して、工具取付部材１２の前面側上面にゴム等の弾性パッド２５が設置されている。
この切り目入れ用カッター刃２３は、枚葉紙６にパンチ１で綴り穴９を形成するとき、同時に、この綴り穴９の近傍にミシン目状の切り目を入れるために設けられているものである。このような切り目入れが不要の場合には、省略されるものである。
また、前記穿孔動作付与手段８は、図１、図２に示すように、穿孔作業位置４の上方の垂直面内で前記穿孔工具搬送手段５の無端鎖条１０と同調して連続的に回転する回転板１３と、この回転板１３の外周部に回転方向等間隔で取り付けられ前記穿孔作業位置４に到着した前記パンチ１をダイ２に向けて順次押し下げる押し下げローラ１４を備えている。
【００１９】
上記回転板１３の回転方向は、前記穿孔工具搬送手段５による穿孔工具３の穿孔作業位置４への移動方向と一致するように設定されており、この回転板１３の外周部に取り付けられた押し下げローラ１４の旋回移動速度は、前記穿孔工具搬送手段５による前記穿孔作業位置４での穿孔工具３の搬送速度と一致せしめられている。
上記押し下げローラ１４によるパンチ１の押し下げ動作は、回転板１３の回転により、穿孔作業位置４の手前で前記パンチホルダ１２ｃの上面に接触して押し下げを開始し、穿孔作業位置４で最も下まで押し下げられ、その後、穿孔作業位置４を過ぎると、パンチホルダ１２ｃの上面から上方へ離れていくことによって行われるように設定されている。
【００２０】
また、押し下げローラ１４の設置数は、本実施形態では、前記穿孔工具搬送手段５の無端鎖条１０への穿孔工具３の設置数と同一に合わせてある。
上記回転板１３は、図１に示すように、機台フレーム２２の中間棚部２２ｂに軸受８ａを介して回転自在に横架支持された回転軸８ｂの一端（前端）に固着されており、この回転軸８ｂの他端（後端）に傘歯車８ｃが固着されている。
この傘歯車８ｃは、図１に示すように、機台フレーム２２に前記穿孔工具搬送手段５の駆動軸５ｃと平行に立設支持された中継軸８ｄの傘歯車８ｅと噛合せしめられており、この中継軸８ｄには、前記穿孔工具搬送手段５の駆動軸５ｃから平歯車８ｆ、８ｇの噛合を通して回転駆動力が伝達される構成とされている。
【００２１】
また、前記穿孔工具搬送手段５は、前記穿孔作業位置４の下面に配置され、前記穿孔工具３の底面を前記穿孔工具搬送手段５の搬送方向に転動可能に案内支持する転がり軸受１５を備えている（図１、図４参照）。
上記転がり軸受１５は、小径のニードルローラベアリングやリニヤベアリングなどが使用され、機台フレーム２２の案内トラック部材２２ａの穿孔作業位置４に対応する箇所に上面を面一にして設置されている。
前記穿孔作業位置４の側方（穿孔工具搬送手段５の無端鎖条１０が配置されている側と反対側）には、前記穿孔工具３を前記穿孔工具搬送手段５の搬送方向と同方向に同一速度で介添え搬送する介添え搬送手段１６が配置されている。
【００２２】
この介添え搬送手段１６は、前記穿孔工具搬送手段５の無端鎖条１０に後面側を取り付けられて機台フレーム２２の案内トラック部材２２ａの上面を摺動しながら穿孔作業位置４に向けて搬送されていく穿孔工具３の前面側の遅れを防いで該穿孔工具３を穿孔作業位置４に安定した姿勢を保持した状態で枚葉紙搬送手段７により送り込まれる枚葉紙６との穿孔位置精度を高精度に維持しつつ送り込むために設けているものである。
即ち、穿孔工具３を機台フレーム２２の案内トラック部材２２ａの上面に沿って水平面内で循環移動させるには、穿孔工具搬送手段５の無端鎖条１０を案内トラック部材２２ａの長円形案内路の内側に配置することが設計的に通常の構成となり、この構成の無端鎖条１０の穿孔工具３を取り付ける場合には、長円形案内路内側となる穿孔工具３の後面側で無端鎖条１０に取り付けることになり、このままでは、穿孔工具３の搬送姿勢が不安定となりやすい。そこで、穿孔工具３の前面側を介添え搬送手段１６によって介添え搬送させることによって、穿孔工具３の搬送姿勢を安定化させるようにしているのである。
【００２３】
そのために、上記介添え搬送手段１６は、図１〜図４に示すように、前記穿孔作業位置４の側方の垂直面内で前記穿孔工具搬送手段５と同調して連続的に循環移動する無端鎖条１７と、この無端鎖条１７に等間隔で取り付けられ前記穿孔作業位置４の手前から該穿孔作業位置４を通り過ぎるまでの間、前記穿孔工具３を介添え移動させる介添え搬送部材１８を備えている。
上記介添え搬送部材１８は、前記穿孔工具３の工具取付部材１２の前面に設けた係止突起３ａに係止して穿孔工具３と同方向に同一速度で押圧搬送する板状部材からなり、前記無端鎖条１７のチェーンリンクに設けられている。
【００２４】
上記無端鎖条１７は、図２に示すように、駆動鎖車１６ａと従動鎖車１６ｂとの間に無端状に掛け渡されており、直線移動部の一方（上面側）が前記穿孔作業位置４で前記穿孔工具３の移動方向と平行となるように設定されている。
これら駆動鎖車１６ａと従動鎖車１６ｂは、駆動軸１６ｃと従動軸１６ｄに取り付けられている。駆動軸１６ｃと従動軸１６ｄは、機台フレーム２２に軸受（図示省略）を介して回転自在に横架支持されており、駆動軸１６ｃには、前記穿孔工具搬送手段５の駆動軸５ｃから適宜の伝動機構（例えば、歯車伝動機構など）を介して回転動力が伝達される構成とされている。
【００２５】
上記無端鎖条１７に対する介添え搬送部材１８の設置数は、本実施形態では、前記穿孔工具搬送手段５の無端鎖条１０への穿孔工具３の設置数と同一に合わせてある。なお、この介添え搬送手段１６の無端鎖条１７を垂直面内で循環移動させるようにしているのは、後述する枚葉紙搬送手段７との干渉を避けるためであって、その設置位置は、穿孔作業位置４の下部側とされている。
前記枚葉紙搬送手段７は、図１、図４に示すように、前記穿孔作業位置４の側方の垂直面内で前記穿孔工具搬送手段５と同調して連続的に循環移動する無端鎖条１９と、この無端鎖条１９に等間隔で取り付けられ枚葉紙６を前工程から受け取って次工程へ受け渡すまでの間、該枚葉紙６を前記穿孔作業位置４に向けて該枚葉紙６の搬送方向前側６ａを把持して搬送する把持部材２０備えている。
【００２６】
上記枚葉紙搬送手段７の無端鎖条１９は、図示を省略したが、機台フレーム２２に軸を回転自在に横架支持された駆動鎖車と従動鎖車との間に無端状に掛け渡されており、直線移動部の一方（上面側）が前記穿孔作業位置４と平行となるように設定されている。
上記無端鎖条１９の駆動鎖車は、前記穿孔工具搬送手段５の駆動軸５ｃから適宜の伝動機構（例えば、歯車伝動機構など）を介して前記穿孔工具３の搬送方向と同一方向に同一速度で駆動されるように構成されている。
上記枚葉紙搬送手段７の駆動及び伝動機構は、前記介添え搬送手段１６と干渉しない状態で機台フレーム２２に設置されている。
【００２７】
上記無端鎖条１９は、図１、図４に示すように、チェーンガイド７ａに案内され、この無端鎖条１９に枚葉紙６の把持部材２０が適宜の間隔で等間隔に設置されている。
把持部材２０は、図５〜図７に示すように、下側爪２０ａと上側爪２０ｂとを枚葉紙６の搬送方向後端側に形成したベース部材２０ｃと可動部材２０ｄとを備えており、これらベース部材２０ｃと可動部材２０ｄとは、枢軸ピン２０ｅにより、上記下側爪２０ａ及び上側爪２０ｂが上下方向に開閉可能に枢着されている。
上記ベース部材２０ｃと可動部材２０ｄとの間には、閉鎖力付与スプリング２０ｆが設けられており、下側爪２０ａに対して上側爪２０ｂを弾性的に圧接閉鎖するように構成されている。上側爪２０ｂには、枚葉紙６の把持力を確実にするためにゴム等の把持パッド２０ｂ’が取り付けられている。なお、下側爪２０ａにも同様な把持パッドを設けてもよい。
【００２８】
上記ベース部材２０ｃには、無端鎖条１９のチェーンリンクへの取付孔２０ｇが２個設けられており、この取付孔２０ｇを利用して、ベース部材２０ｃを無端鎖条１９のチェーンリンクに固着する構成とされている。
また、上記ベース部材２０ｃの一側面の前後には、ガイドローラ２０ｈが２個設置されており、このガイドローラ２０ｈは、図４に示すガイドレール７ｂに転動自在に係合案内されている。このガイドレール７ｂは、前記穿孔作業位置４を含む前後でベース部材２０ｃを穿孔工具３と平行移動するように案内保持させるもので、機台フレーム２２に適宜取り付け支持される。
【００２９】
また、把持部材２０には、枚葉紙６の搬送方向前端を位置決めするためのストッパ２０ｉが、図５に示すように、ベース部材２０ｃの上面に取付ネジ２０ｊを介して位置調整可能に取り付けられている。
さらに、把持部材２０の可動部材２０ｄには、閉鎖力付与スプリング２０ｆに抗して開放させるためのカムローラ２０ｋが延長アーム２０ｄ’の先端に設けられており、このカムローラ２０ｋは、枚葉紙６の受け取り位置及び受け渡し位置に設置される開放用カム部材（図示省略）によって開放動作せしめられるように構成されている。
【００３０】
前記穿孔作業位置４を含む前後には、図４に示すように、枚葉紙６を水平に支持するテーブル７ｃが機台フレーム２２に対して適宜取り付けられており、このテーブル７ｃには、把持部材２０が通過するスリット７ｄが形成されている。
また、前記穿孔工具搬送手段５には、前記穿孔作業位置４の直後より前記穿孔工具３のパンチ１を離隔復帰させるための復帰用カム２１（図１参照）が付加されている。この復帰用カム２１は、機台フレーム２２に適宜取り付けられており、この復帰用カム２１に対応して、カムローラ３ｂ（図４参照）がパンチホルダ１２ｃの前面に取り付けられている。
【００３１】
本発明装置の実施形態は、以上の構成からなり、次に全体の動作を説明する。
動作の開始は、前工程、例えば、印刷機などから送り出される枚葉紙６を所定枚数に積層したロットとして準備して、始動操作を行うことにより、始まる。これにより、穿孔工具搬送手段５、枚葉紙搬送手段７、穿孔動作付与手段８及び介添え搬送手段１６が同調動作を開始する。これにより、枚葉紙６が穿孔作業位置４に向けて搬送され、同じく穿孔工具３が穿孔作業位置４に順次搬送される。そして、穿孔動作付与手段８の押し下げローラ１４によってパンチ１がダイ２に向けて押し下げられて枚葉紙６の所定位置（綴り側端部近傍）に綴り穴９が穿孔される。綴り穴９の穿孔ピッチは、穿孔工具搬送手段５の無端鎖条１０に取り付けた穿孔工具３の取付ピッチに対応したものとされる。
【００３２】
上記穿孔工具３と枚葉紙６とを穿孔作業位置４に向けて同一速度で同一方向に直線移動させているため、相対的なずれが発生せず、枚葉紙６への穿孔作業を高能率で実施することができ、積層枚数が増加しても枚葉紙６に明けられる綴り穴９が所定形状に正確に穿孔形成され、ずれることがないと共に、穿孔工具搬送手段５に対する穿孔工具３の取付間隔を変更することにより、狭いピッチや自由な穴間隔でも穿孔することができる。
穿孔工具３には、パンチ１を１本だけ取り付けた場合を例示しているが、複数本を設置しておくこともできる。
【００３３】
穿孔後のパンチ１は、押し下げローラ１４が上方へ離れていくことによって、弾性部材１１の復元弾力で上昇復帰せしめられるが、この復帰が不完全ないし失敗した場合でも、復帰用カム２１によって機械的かつ強制的に復帰せしめられる。また、パンチ１の復帰時、押さえ部材１２ｂの下面がストリッパの役割を果たし、パンチ１を綴り穴９から確実に脱出させて枚葉紙６をスムーズに送り出すことができる。
上記穿孔作業位置４に対して、介添え搬送手段１６の介添え搬送部材１８による介添え搬送動作を受けつつ穿孔工具３が穿孔工具搬送手段５の無端鎖条１０によって穿孔作業位置４に向けて搬送されるため、穿孔工具３の穿孔作業位置４への送り込み位置精度が高精度に維持される。
【００３４】
また、穿孔作業位置４の下面には、転がり軸受１５を設けているため、穿孔動作付与手段８の押し下げローラ１４によるパンチ１の押し下げ動作中でも穿孔工具３の底面を機台フレーム２２の案内トラック部材２２ａの上面（静止面）に対して低摩擦でスムーズに転がり移動させることができる。
綴り穴９が穿孔された枚葉紙６は、枚葉紙搬送手段７によって受け渡し位置まで搬送され、そこから別のコンベアなどによって後工程ないし集積場所などに送られる。
上記動作は、連続して反復され、穿孔作業位置４に送り込まれる枚葉紙６に対して穿孔工具３が順次綴り穴９を穿孔していくことになる。なお、枚葉紙６に対して、複数個の綴り穴９を枚葉紙６の搬送方向に沿って穿孔工具３の無端鎖状１０への取付ピッチに一致させて穿孔させることができる。
【００３５】
本発明装置の実施形態は、以上の構成と動作を有するものであるが、本発明は、この実施形態にのみ制約されるものではなく、種々変形して実施することができる。
【図面の簡単な説明】
【００３６】
【図１】本発明装置の概略縦断側面図である。
【図２】図１の概略正面図である。
【図３】図１の概略平面図である。
【図４】図１の腰部拡大縦断側面図である。
【図５】枚葉紙把持部材の拡大側面図である。
【図６】図５の平面図である。
【図７】図５の正面図である。
【図８】枚葉紙搬送手段の枚葉紙搬送形態を示す概略斜視図である。
【符号の説明】
【００３７】
１    パンチ
２    ダイ
３    穿孔工具
４    穿孔作業位置
５    穿孔工具搬送手段
６    枚葉紙
７    枚葉紙搬送手段
８    穿孔動作付与手段
９    綴り穴
１０    無端鎖条
１１    弾性部材
１２    工具取付部材
１３    回転板部材
１４    押し下げローラ
１５    転がり軸受
１６    介添え搬送手段
１７    無端鎖条
１８    介添え搬送部材
１９    無端鎖条
２０    把持部材
２１    復帰用カム
【図１】
2008194790.tif 000003
【図２】
2008194790.tif 000004
【図３】
2008194790.tif 000005
【図４】
2008194790.tif 000006
【図５】
2008194790.tif 000007
【図６】
2008194790.tif 000008
【図７】
2008194790.tif 000009
【図８】
2008194790.tif 000010